【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
遊技機全体を制御する主制御手段と、図柄を変動させて行う図柄変動ゲームを表示する演出実行手段と、前記主制御手段から出力された制御信号に基づいて前記演出実行手段に演出を実行させる演出制御手段と、を備え、前記図柄変動ゲームにおいて予め定められた大当り表示結果が表示された場合には、遊技者に有利となる大当り遊技が付与される遊技機において、
前記主制御手段は、
入賞検知手段による遊技球の入賞検知を契機に、図柄変動ゲームが大当りとなるか否かを判定する大当り判定手段と、
前記大当り判定手段の判定結果が肯定の場合、複数種類の大当り遊技の中からいずれの大当り遊技を付与するかを決定する大当り遊技決定手段と、
予め決められた入球率向上状態付与条件が成立した場合、大当り遊技終了後に、前記入賞検知手段が遊技球を検知する確率を向上させる入球率向上状態を付与する入球率向上状態付与手段と、
予め決められた確変状態付与条件が成立した場合、大当り遊技終了後に、前記大当り判定手段が肯定判定する確率を向上させる確変状態を付与する確変状態付与手段と、
前記確変状態の付与状態及び前記入球率向上状態の付与状態を示す状態信号を前記演出制御手段に出力する状態信号出力手段と、
遊技機に供給される電源電圧が所定値未満となった場合、バックアップ処理を実行して、遊技機に関する各種情報をバックアップ情報として記憶手段に記憶させるバックアップ手段と、を備え、
前記演出制御手段は、
遊技演出の演出態様を定める複数種類の演出モードを記憶した演出モード記憶手段と、
複数種類の演出モードの中から、演出モードを決定する演出モード決定手段と、を備え、
前記状態信号出力手段は、前記確変状態が付与される確変状態付与回数を示す確変状態付与回数信号を状態信号として出力すると共に、前記入球率向上状態が付与される入球率向上状態付与回数を示す入球率向上状態付与回数信号を状態信号として出力し、
前記確変状態付与手段は、前記大当り判定手段の判定結果が肯定の場合、前記大当り遊技決定手段によって決定された大当り遊技の種類と、前記大当り判定手段による判定時における確変状態の有無及び入球率向上状態の有無のうち少なくとも何れか一方に基づいて、前記確変状態付与回数を決定すると共に、前記確変状態が付与されている場合、図柄変動ゲームが実行される毎に前記確変状態付与回数を更新し、
前記入球率向上状態付与手段は、前記大当り判定手段の判定結果が肯定の場合、前記大当り遊技決定手段によって決定された大当り遊技の種類と、前記大当り判定手段による判定時における確変状態の有無及び入球率向上状態の有無のうち少なくとも何れか一方に基づいて、前記入球率向上状態付与回数を決定すると共に、前記入球率向上状態が付与されている場合、図柄変動ゲームが実行される毎に前記入球率向上状態付与回数を更新し、
前記演出モード決定手段は、前記確変状態付与回数信号及び前記入球率向上状態付与回数信号を入力した場合、入力した前記確変状態付与回数信号が示す確変状態付与回数と、入力した前記入球率向上状態付与回数信号が示す入球率向上状態付与回数に基づき、演出モードを決定し、
前記バックアップ手段は、バックアップ情報として少なくとも最新の前記確変状態付与回数及び前記入球率向上状態付与回数を記憶させるように構成され、
前記演出モード決定手段は、遊技機に供給される電源電圧が所定値以上となった場合、バックアップ情報に含まれる前記確変状態付与回数及び前記入球率向上状態付与回数に基づき、演出モードを決定し、
予め決められた回数の入球率向上状態付与回数に応じて演出モードが設定されるように構成されており、
演出モードの設定順序は、予め決められた順番で決まっており、
予め決められた入球率向上状態付与条件が成立した場合に設定されうる複数の入球率向上状態付与回数には、設定順序に基づく演出モードの設定が一通り終了したときに入球率向上状態が終了するように設定された所定回数を含み、
前記大当り遊技終了後から前記所定回数を超えても入球率向上状態が終了しないときに、予め決められた演出モードが全て設定されている場合には、設定順序に基づき、最初から繰り返し演出モードが設定されることを特徴とする遊技機。
【請求項２】
前記大当り遊技の種類には、第１の大当り遊技と第２の大当り遊技とを含み、
前記第１の大当り遊技によって付与される入球率向上状態は、前記設定順序に基づく演出モードの設定が一通り終了したときに終了するように設定されており、
前記第２の大当り遊技によって付与される入球率向上状態は、前記設定順序に基づく演出モードの設定が一通り終了した後、再度、前記設定順序に基づく演出モードの設定が一通り終了したときに終了するように設定されていることを特徴とする請求項１に記載の遊技機。
【請求項３】
前記確変状態付与手段は、前記大当り判定手段の判定結果が肯定の際、同じ種類の大当り遊技が決定された場合であっても、前記大当り判定手段による判定時における確変状態の有無及び入球率向上状態の有無のうち少なくとも何れか一方に応じて、異なる回数の前記確変状態付与回数を決定可能に構成されており、
前記入球率向上状態付与手段は、前記大当り判定手段の判定結果が肯定の際、同じ種類の大当り遊技が決定された場合であっても、前記大当り判定手段による判定時における確変状態の有無及び入球率向上状態の有無のうち少なくとも何れか一方に応じて、異なる回数の前記入球率向上状態付与回数を決定可能に構成されており、
前記確変状態付与回数及び前記入球率向上状態付与回数の組み合わせに応じて、演出モードが対応付けられていることを特徴とする請求項１又は請求項２に記載の遊技機。
【手続補正２】
【補正対象書類名】明細書
【補正対象項目名】０００８
【補正方法】変更
【補正の内容】
【０００８】
上記問題点を解決する遊技機は、遊技機全体を制御する主制御手段と、図柄を変動させて行う図柄変動ゲームを表示する演出実行手段と、前記主制御手段から出力された制御信号に基づいて前記演出実行手段に演出を実行させる演出制御手段と、を備え、前記図柄変動ゲームにおいて予め定められた大当り表示結果が表示された場合には、遊技者に有利となる大当り遊技が付与される遊技機において、前記主制御手段は、入賞検知手段による遊技球の入賞検知を契機に、図柄変動ゲームが大当りとなるか否かを判定する大当り判定手段と、前記大当り判定手段の判定結果が肯定の場合、複数種類の大当り遊技の中からいずれの大当り遊技を付与するかを決定する大当り遊技決定手段と、予め決められた入球率向上状態付与条件が成立した場合、大当り遊技終了後に、前記入賞検知手段が遊技球を検知する確率を向上させる入球率向上状態を付与する入球率向上状態付与手段と、予め決められた確変状態付与条件が成立した場合、大当り遊技終了後に、前記大当り判定手段が肯定判定する確率を向上させる確変状態を付与する確変状態付与手段と、前記確変状態の付与状態及び前記入球率向上状態の付与状態を示す状態信号を前記演出制御手段に出力する状態信号出力手段と、遊技機に供給される電源電圧が所定値未満となった場合、バックアップ処理を実行して、遊技機に関する各種情報をバックアップ情報として記憶手段に記憶させるバックアップ手段と、を備え、前記演出制御手段は、遊技演出の演出態様を定める複数種類の演出モードを記憶した演出モード記憶手段と、複数種類の演出モードの中から、演出モードを決定する演出モード決定手段と、を備え、前記状態信号出力手段は、前記確変状態が付与される確変状態付与回数を示す確変状態付与回数信号を状態信号として出力すると共に、前記入球率向上状態が付与される入球率向上状態付与回数を示す入球率向上状態付与回数信号を状態信号として出力し、前記確変状態付与手段は、前記大当り判定手段の判定結果が肯定の場合、前記大当り遊技決定手段によって決定された大当り遊技の種類と、前記大当り判定手段による判定時における確変状態の有無及び入球率向上状態の有無のうち少なくとも何れか一方に基づいて、前記確変状態付与回数を決定すると共に、前記確変状態が付与されている場合、図柄変動ゲームが実行される毎に前記確変状態付与回数を更新し、前記入球率向上状態付与手段は、前記大当り判定手段の判定結果が肯定の場合、前記大当り遊技決定手段によって決定された大当り遊技の種類と、前記大当り判定手段による判定時における確変状態の有無及び入球率向上状態の有無のうち少なくとも何れか一方に基づいて、前記入球率向上状態付与回数を決定すると共に、前記入球率向上状態が付与されている場合、図柄変動ゲームが実行される毎に前記入球率向上状態付与回数を更新し、前記演出モード決定手段は、前記確変状態付与回数信号及び前記入球率向上状態付与回数信号を入力した場合、入力した前記確変状態付与回数信号が示す確変状態付与回数と、入力した前記入球率向上状態付与回数信号が示す入球率向上状態付与回数に基づき、演出モードを決定し、前記バックアップ手段は、バックアップ情報として少なくとも最新の前記確変状態付与回数及び前記入球率向上状態付与回数を記憶させるように構成され、前記演出モード決定手段は、遊技機に供給される電源電圧が所定値以上となった場合、バックアップ情報に含まれる前記確変状態付与回数及び前記入球率向上状態付与回数に基づき、演出モードを決定し、予め決められた回数の入球率向上状態付与回数に応じて演出モードが設定されるように構成されており、演出モードの設定順序は、予め決められた順番で決まっており、予め決められた入球率向上状態付与条件が成立した場合に設定されうる複数の入球率向上状態付与回数には、設定順序に基づく演出モードの設定が一通り終了したときに入球率向上状態が終了するように設定された所定回数を含み、前記大当り遊技終了後から前記所定回数を超えても入球率向上状態が終了しないときに、予め決められた演出モードが全て設定されている場合には、設定順序に基づき、最初から繰り返し演出モードが設定されることを要旨とする。
【手続補正３】
【補正対象書類名】明細書
【補正対象項目名】０００９
【補正方法】変更
【補正の内容】
【０００９】
また、上記遊技機において、前記大当り遊技の種類には、第１の大当り遊技と第２の大当り遊技とを含み、前記第１の大当り遊技によって付与される入球率向上状態は、前記設定順序に基づく演出モードの設定が一通り終了したときに終了するように設定されており、前記第２の大当り遊技によって付与される入球率向上状態は、前記設定順序に基づく演出モードの設定が一通り終了した後、再度、前記設定順序に基づく演出モードの設定が一通り終了したときに終了するように設定されていてもよい。
また、上記遊技機において、前記確変状態付与手段は、前記大当り判定手段の判定結果が肯定の際、同じ種類の大当り遊技が決定された場合であっても、前記大当り判定手段による判定時における確変状態の有無及び入球率向上状態の有無のうち少なくとも何れか一方に応じて、異なる回数の前記確変状態付与回数を決定可能に構成されており、前記入球率向上状態付与手段は、前記大当り判定手段の判定結果が肯定の際、同じ種類の大当り遊技が決定された場合であっても、前記大当り判定手段による判定時における確変状態の有無及び入球率向上状態の有無のうち少なくとも何れか一方に応じて、異なる回数の前記入球率向上状態付与回数を決定可能に構成されており、前記確変状態付与回数及び前記入球率向上状態付与回数の組み合わせに応じて、演出モードが対応付けられているようにしてもよい。
【手続補正４】
【補正対象書類名】明細書
【補正対象項目名】００１０
【補正方法】削除
【補正の内容】